(57)【要約】      （修正有）【課題】筐体の周方向における、煙の検出精度のばらつきを抑制することができる煙感知器を提供する。【解決手段】筒状の側面部を含む筐体１０と、筐体に収容され、筐体の中心から筐体の径方向にずれた位置に設けられている検煙部と、を備える。側面部は、検煙部との距離が第１の範囲内である第１の領域Ｒｇ１と、検煙部との距離が第１の範囲の上限より大きい第２の範囲内である第２の領域Ｒｇ２とを含む。第１の領域には、第１の開口部１が周方向に形成され、第２の領域には、開口面積が第１の開口部の開口面積よりも広い第２の開口部２が形成されている。【選択図】図１
2019008521.tif 000002
【特許請求の範囲】
【請求項１】
筒状の側面部を含む筐体と、
前記筐体に収容され、前記筐体の中心から前記筐体の径方向にずれた位置に設けられている検煙部と、
を備え、
前記側面部は、前記検煙部との距離が第１の範囲内である第１の領域と、前記検煙部との距離が前記第１の範囲の上限より大きい第２の範囲内である第２の領域とを含み、
前記第１の領域には、第１の開口部が周方向に形成され、
前記第２の領域には、開口面積が前記第１の開口部の開口面積よりも広い第２の開口部が形成されている
ことを特徴とする煙感知器。
【請求項２】
筒状の側面部を含む筐体と、
前記筐体に収容され、前記筐体の中心から前記筐体の径方向にずれた位置に設けられている検煙部と、
を備え、
前記側面部は、前記検煙部との距離が第１の範囲内である第１の領域と、前記検煙部との距離が前記第１の範囲の上限より大きい第２の範囲内である第２の領域とを含み、
前記検煙部は、発光部と、前記発光部の光を受光する受光部と、遮光機能を有するラビリンス壁とを含み、
前記ラビリンス壁は、煙を通過させる第１の通路を形成し、前記第１の領域側に設けられている第１の壁体と、前記第１の通路よりも幅が広く、煙を通過させる第２の通路を形成し、前記第２の領域側に設けられている第２の壁体とを含む
ことを特徴とする煙感知器。
【請求項３】
筒状の側面部を含む筐体と、
前記筐体に収容され、前記筐体の中心から前記筐体の径方向にずれた位置に設けられている検煙部と、
前記筐体に収容され、前記検煙部に設けられているカバー部材と、
を備え、
前記側面部は、前記検煙部との距離が第１の範囲内である第１の領域と、前記検煙部との距離が前記第１の範囲の上限より大きい第２の範囲内である第２の領域とを含み、
前記検煙部は、発光部と、前記発光部の光を受光する受光部と、前記カバー部材に収容され、遮光機能を有するラビリンス壁とを含み、
前記カバー部材は、前記第１の領域側に突出している
ことを特徴とする煙感知器。
【請求項４】
前記筐体に収容され、前記検煙部が設けられている光学台と、
前記光学台が形成され、前記筐体に収容され、前記筐体内の空間を第１の空間と第２の空間とに区画する区画部材と、
前記筐体に収容され、前記光学台に設けられている光学台カバーとを更に備え、
前記検煙部は、発光部と、前記発光部の光を受光する受光部と、前記発光部及び前記受光部を収容する検煙カバーと、前記光学台に設けられ、前記光学台カバーに収容されているラビリンス壁とを含み、
前記第１の空間には、前記光学台カバー及び前記ラビリンス壁が設けられ、
前記第２の空間には、前記発光部、前記受光部及び前記検煙カバーが設けられ、
前記区画部材は、前記光学台側から前記第２の領域のうち前記第２の開口部よりも上側へ延びる傾斜面が形成されている
ことを特徴とする請求項１に記載の煙感知器。
【発明の詳細な説明】
【技術分野】
【０００１】
本発明は煙感知器に関し、特に、煙を検出する検煙部を備えている煙感知器に関する。
【背景技術】
【０００２】
従来の煙感知器には、煙が流入する開口部が側面に形成されている筐体と、筐体内に収容されている検煙部とを備えているものが提案されている（例えば、特許文献１参照）。特許文献１に記載の煙感知器の検煙部は、筐体の中心から筐体の径方向にずれた位置に設けられている。
【先行技術文献】
【特許文献】
【０００３】
【特許文献１】特許第５１２４３２７号公報（例えば、段落００６１及び図６）
【発明の概要】
【発明が解決しようとする課題】
【０００４】
従来の煙感知器の検煙部は筐体の中心から筐体の径方向にずれた位置に設けられているので、筐体の側面の内周面と検煙部と間の距離が検煙部の周方向にばらついている。このため、筐体の周方向における煙流入特性がばらついてしまい、筐体の周方向における、煙の検出精度にばらつきが生じる、という課題がある。
【０００５】
本発明は、上記のような課題を解決するためになされたものであり、筐体の周方向における、煙の検出精度のばらつきを抑制することができる煙感知器を提供することを目的としている。
【課題を解決するための手段】
【０００６】
本発明に係る煙感知器は、筒状の側面部を含む筐体と、筐体に収容され、筐体の中心から筐体の径方向にずれた位置に設けられている検煙部と、を備え、側面部は、検煙部との距離が第１の範囲内である第１の領域と、検煙部との距離が第１の範囲の上限より大きい第２の範囲内である第２の領域とを含み、第１の領域には、第１の開口部が周方向に形成され、第２の領域には、開口面積が第１の開口部の開口面積よりも広い第２の開口部が形成されている。
【０００７】
本発明に係る煙感知器は、筒状の側面部を含む筐体と、筐体に収容され、筐体の中心から筐体の径方向にずれた位置に設けられている検煙部と、を備え、側面部は、検煙部との距離が第１の範囲内である第１の領域と、検煙部との距離が第１の範囲の上限より大きい第２の範囲内である第２の領域とを含み、検煙部は、発光部と、発光部の光を受光する受光部と、遮光機能を有するラビリンス壁とを含み、ラビリンス壁は、煙を通過させる第１の通路を形成し、第１の領域側に設けられている第１の壁体と、第１の通路よりも幅が広く、煙を通過させる第２の通路を形成し、第２の領域側に設けられている第２の壁体とを含む。
【０００８】
本発明に係る煙感知器は、筒状の側面部を含む筐体と、筐体に収容され、筐体の中心から筐体の径方向にずれた位置に設けられている検煙部と、筐体に収容され、検煙部に設けられているカバー部材と、を備え、側面部は、検煙部との距離が第１の範囲内である第１の領域と、検煙部との距離が第１の範囲の上限より大きい第２の範囲内である第２の領域とを含み、検煙部は、発光部と、発光部の光を受光する受光部と、カバー部材に収容され、遮光機能を有するラビリンス壁とを含み、カバー部材は、第１の領域側に突出している。
【０００９】
本発明に係る煙感知器は、筐体に収容され、検煙部が設けられている光学台と、光学台が形成され、筐体に収容され、筐体内の空間を第１の空間と第２の空間とに区画する区画部材と、筐体に収容され、光学台に設けられている光学台カバーとを更に備え、検煙部は、発光部と、発光部の光を受光する受光部と、発光部及び受光部を収容する検煙カバーと、光学台に設けられ、光学台カバーに収容されているラビリンス壁とを含み、第１の空間には、光学台カバー及びラビリンス壁が設けられ、第２の空間には、発光部、受光部及び検煙カバーが設けられ、区画部材は、光学台側から第２の領域のうち第２の開口部よりも上側へ延びる傾斜面が形成されている。
【発明の効果】
【００１０】
本発明に係る煙感知器によれば、上記構成を備えているので、筐体の周方向における、煙の検出精度のばらつきを抑制することができる。
【図面の簡単な説明】
【００１１】
【図１】本発明の実施の形態に係る煙感知器の外観を示す側面図である。
【図２】本発明の実施の形態に係る煙感知器の外観を示す下面図である。
【図３】本発明の実施の形態に係る煙感知器の縦断面図である。
【図４】図３に示すＡ−Ａ断面図である。
【図５】図３に示すＢ−Ｂ断面図である。
【図６】（ａ）が本発明の実施の形態に係る煙感知器の変形例１の説明図であり、（ｂ）が本発明の実施の形態に係る煙感知器の変形例２の説明図である。
【発明を実施するための形態】
【００１２】
実施の形態．
以下、本発明に係る煙感知器の実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１３】
図１は、実施の形態に係る煙感知器１００の外観を示す側面図である。図２は、実施の形態に係る煙感知器１００の外観を示す下面図である。図３は、実施の形態に係る煙感知器１００の縦断面図である。図３に示すＡ−Ａ断面図が図４である。なお、図３の断面は、図４に示すＣ−Ｃ断面である。
【００１４】
煙感知器１００は、例えば家屋の室内等の監視空間に設置される。図１に示すように、煙感知器１００は例えば天井２００に取り付けられる。図１〜図４に示すように、煙感知器１００は、筒状の側面部１１Ｂを含む筐体１０を備えている。また、図４に示すように、煙感知器１００は、筐体１０に収容され、筐体１０の中心Ｏ１から筐体１０の径方向にずれた位置に設けられている検煙部５を備えている。検煙部５は、煙を検出する機能を有している。また、図３及び図４に示すように、煙感知器１００は、筐体１０に収容され、筐体１０内の空間を第１の空間ＳＰ１と第２の空間ＳＰ２とに区画する区画部材３と、区画部材３に設けられている光学台カバー４とを備えている。更に、図３及び図４に示すように、煙感知器１００は、区画部材３に設けられ、検煙部５を制御する基板６と、検煙部５の動作電力を供給する電池７とを備えている。なお、図４では、区画部材３によって基板６が隠れるので、基板６を点線によって模式的に示している。
【００１５】
図１〜図４に示すように、筐体１０は、第１の開口部１及び第２の開口部２が形成されている有底筒状の第１のカバー１１と、第１のカバー１１の上部に設けられ、第１のカバー１１の蓋となる第２のカバー１２とを備えている。第１のカバー１１は、スピーカ穴１１Ａ１が形成されている平板状の下面部１１Ａと、円筒状の側面部１１Ｂと、下面部１１Ａと側面部１１Ｂとを接続する環状の角部１１Ｃとを備えている。下面部１１Ａは区画部材３に対向している。側面部１１Ｂは、検煙部５との距離が第１の範囲内である第１の領域Ｒｇ１と、検煙部５との距離が第１の範囲の上限より大きい第２の範囲内である第２の領域Ｒｇ２とを含む。また、次に説明するように、第１の領域Ｒｇ１及び第２の領域Ｒｇ２は、第１の開口部１及び第２の開口部２によって規定することができる。
【００１６】
実施の形態において、第１の領域Ｒｇ１と第２の領域Ｒｇ２とは、筐体１０を２等分する垂直面Ｌ１とによって分割されている。つまり、図２に示すように、第１の領域Ｒｇ１は中心Ｏ１の角度範囲θ１に設けられ、第２の領域Ｒｇ２は中心Ｏ１の角度範囲θ２に設けられている。そして、角度範囲θ１及び角度範囲θ２は１８０度である。第１の領域Ｒｇ１には、第１の開口部１が形成されている。第１の開口部１は、筐体１０の側面部１１Ｂの周方向に延びる開口部１Ａと、開口部１Ａに平行に延びる開口部１Ｂとを有する。第２の領域Ｒｇ２には、第２の開口部２が形成されている。第２の開口部２は、筐体１０の側面部１１Ｂの周方向に延びる開口部２Ａと、開口部２Ａに平行に延びる開口部２Ｂと、開口部２Ａに平行に延びる開口部２Ｃとを有する。実施の形態では、開口部１Ａ、開口部１Ｂ、開口部２Ａ、開口部２Ｂ及び開口部２Ｃは同一形状である。このように、第２の開口部２の方が第１の開口部１よりも、上下方向に並んでいる、同一形状の開口部数が多いため、第２の開口部２の開口面積は第１の開口部１の開口面積よりも広くなる。また、第２の開口部２の高さ幅は、第１の開口部１の高さ幅よりも、広い。つまり、第２の開口部２の上縁部Ｅｄ３と下縁部Ｅｄ４との間の幅は、第１の開口部１の上縁部Ｅｄ１と下縁部Ｅｄ２との間の幅よりも、広い。このため、第２の開口部２の開口面積は第１の開口部１の開口面積よりも広くなる。
【００１７】
図４に示すように、筐体１０の側面部１１Ｂの内周面と検煙部５との間の距離は、検煙部５の周方向の位置によって異なる。ここで、筐体１０の側面部１１Ｂの内周面と検煙部５との間の距離を定義する。筐体１０の側面部１１Ｂの内周面と検煙部５との間の距離は、検煙部５の中心Ｏ２からの径方向の距離であるとする。距離Ｄｓ１は、筐体１０の側面部１１Ｂの内周面と検煙部５との間の距離の中で最も短い距離を示している。また、距離Ｄｓ２は、第１の領域Ｒｇ１と第２の領域Ｒｇ２との境目の部分と検煙部５との間の距離を示している。更に、距離Ｄｓ３は、筐体１０の側面部１１Ｂの内周面と検煙部５との間の距離の中で最も長い距離を示している。上述した第１の領域Ｒｇ１の第１の範囲は、距離Ｄｓ１以上であって距離Ｄｓ２以下の範囲である。また、第２の領域Ｒｇ２の第２の範囲は、距離Ｄｓ２よりも長く、距離Ｄｓ３以下の範囲である。
【００１８】
検煙部５は、区画部材３に設けられている検煙カバー５ａと、検煙カバー５ａの内側に設けられている隔壁５Ｃと、火災等が発生したときに煙が流入する煙流入空間５Ｄとを備えている。また、検煙部５は、後述する光学台３Ｃに設けられ、遮光機能を有するラビリンス壁Ｌｂを備えている。煙流入空間５Ｄは、隔壁５Ｃの内側に形成されている。ラビリンス壁Ｌｂは、煙を通過させる第１の通路ｐｔ１が形成されている第１の壁体Ｌｂ１と、第１の通路ｐｔ１よりも幅が広く、煙を通過させる第２の通路ｐｔ２が形成されている第２の壁体Ｌｂ２とを含む。第１の壁体Ｌｂ１は複数の壁体を含み、隣接する壁体の間には第１の通路ｐｔ１が形成されている。また、第２の壁体Ｌｂ２も複数の壁体を含み、隣接する壁体の間には第２の通路ｐｔ２が形成されている。
【００１９】
第１の壁体Ｌｂ１に含まれる壁体は折れ曲がっているが、第２の壁体Ｌｂ２に含まれる壁体は直線状である。したがって、第２の壁体Ｌｂ２の方が第１の壁体Ｌｂ１よりも、煙が流れやすい。また、第１の壁体Ｌｂ１に含まれる壁体の分布は、第２の壁体Ｌｂ２に含まれる壁体の分布よりも、密である。したがって、第２の壁体Ｌｂ２の方が第１の壁体Ｌｂ１よりも、煙が流れやすい。
【００２０】
第１の壁体Ｌｂ１は第１の領域Ｒｇ１側に設けられ、第２の壁体Ｌｂ２は第２の領域Ｒｇ２側に設けられている。更に、検煙部５は、例えばＬＥＤ等で構成することができる発光部５Ａと、発光部５Ａの光を受光する受光部５Ｂとを備えている（図５参照）。
【００２１】
区画部材３は、第２の開口部２側から検煙部５側に向かうにしたがって下側に傾斜する傾斜面３Ａと、電池７を収容する凹状の電池収容部３Ｂと、光学台カバー４及びラビリンス壁Ｌｂが載置されている光学台３Ｃとを備えている。傾斜面３Ａは、光学台３Ｃ側から第２の領域Ｒｇ２のうち第２の開口部２よりも上側へ延びている。傾斜面３Ａは、検煙部５を中心として側面部１１Ｂへ向かう方向に放射状に形成されている。つまり、傾斜面３Ａは検煙部５を頂部としたときに、裾状に形成されている。光学台３Ｃは、ラビリンス壁Ｌｂを載置しやすいように例えば凹状に形成されている。光学台３Ｃには、光学台カバー４内の空間と検煙カバー５ａ内の空間とを連通する貫通孔Ｏｐが形成されている。貫通孔Ｏｐは光学台３Ｃの中央部に形成されている。
光学台カバー４は、椀状部材である。光学台カバー４の側面部は、円筒状である。光学台カバー４には、煙が通過する孔が複数形成されている。光学台カバー４は、ラビリンス壁Ｌｂを収容している。
【００２２】
第１の空間ＳＰ１には、光学台カバー４及びラビリンス壁Ｌｂが設けられている。また、第２の空間ＳＰ２には、検煙カバー５ａ、発光部５Ａ、受光部５Ｂ、隔壁５Ｃ、煙流入空間５Ｄ、基板６及び電池７等が設けられている。
【００２３】
図５は、図３に示すＢ−Ｂ断面図である。発光部５Ａ及び受光部５Ｂは、検煙カバー５ａと隔壁５Ｃとの間に設けられている。隔壁５Ｃには、発光部５Ａの対向位置と、受光部５Ｂの対向位置とに、それぞれ孔が形成されている。電池７は長尺状の柱状部材である。電池７の中心軸は、垂直面Ｌ１（図１参照）内の直線Ｌ１０に直交するとともに中心Ｏ２を通る直線Ｌ２上に設けられている。なお、電池７の中心軸は、直線Ｌ１０に交差するとともに中心Ｏ２を通る直線Ｌ３上に設けられていてもよい。直線Ｌ２若しくは直線Ｌ３等の中心Ｏ２を通る直線上に電池７の中心軸を設けることで、電池７によって検煙部５への煙流入の阻害を最小限とする配置を実現することができる。
【００２４】
次に、図１〜図５を参照して、煙感知器１００の動作について説明する。火災等が発生すると、筐体１０の第１の空間ＳＰ１には第１の開口部１及び第２の開口部２を介して煙が流入する。第１の空間ＳＰ１に流入した煙は、光学台カバー４の孔を介して光学台カバー４内の空間に流入する。光学台カバー４内の空間に流入した煙は、ラビリンス壁Ｌｂの第１の通路ｐｔ１及び第２の通路ｐｔ２を通り抜けた後に、区画部材３の光学台３Ｃの貫通孔Ｏｐに流入する。貫通孔Ｏｐに流入した煙は、検煙部５の隔壁５Ｃ内の煙流入空間５Ｄに流入する。なお、煙には微細な粒子が混ざっている。この粒子は煙よりも重たいため、上昇しにくい。このため、この粒子は光学台カバー４に留まり、煙が煙流入空間５Ｄに流入する。これにより、煙感知器１００は火災の検出精度が向上している。煙流入空間５Ｄに煙が流入すると、発光部５Ａから照射された光が散乱する。受光部５Ｂがこの散乱した光を検出することで、煙感知器１００は火災を感知する。
【００２５】
次に、実施の形態の効果について説明する。検煙部５は、筐体１０の中心Ｏ１から筐体１０の径方向（第１の領域Ｒｇ１側）にずれた位置に設けられている。したがって、第１の領域Ｒｇ１と検煙部５との間の距離は、第２の領域Ｒｇ２と検煙部５との間の距離よりも、小さくなる。その結果、煙感知器１００の筐体１０の周方向における煙流入特性がばらついてしまう。つまり、第２の領域Ｒｇ２に対応する角度範囲θ２の煙流入特性が、第１の領域Ｒｇ１に対応する角度範囲θ１の煙流入特性よりも、悪化しやすい。
また、第１の領域Ｒｇ１から筐体１０内へ流入した空気は第１の領域Ｒｇ１の反対側に配置されている第２の領域Ｒｇ２から抜けていくと考えられる。ここで、第１の領域Ｒｇ１から筐体１０内へ空気（煙を含む）が流入したときにおいて、筐体１０内の空気は検煙部５の存在によって筐体１０外へ抜けにくい。検煙部５は筐体１０の中心Ｏ１から筐体１０の径方向にずれた位置に設けられているので、筐体１０内の通風抵抗が検煙部５の位置において増大しているためである。筐体１０内の空気が筐体１０外へ抜けにくければ、筐体１０外の空気が筐体１０内へ流入しにくくなる。つまり、検煙部５が筐体１０の中心Ｏ１から筐体１０の径方向にずれた位置に設けられている場合には、筐体１０の周方向における、空気の流入しやすさがばらつく。このため、煙感知器１００の筐体１０の周方向における煙流入特性がばらついてしまう。
【００２６】
そこで、実施の形態に係る煙感知器１００の第２の領域Ｒｇ２には、開口面積が第１の開口部１の開口面積よりも広い第２の開口部２が形成されている。このため、煙感知器１００の周囲に均一な煙が対流している場合において、第２の開口部２から流入する煙の量は、第１の開口部１から流入する煙の量よりも増加する。したがって、煙感知器１００は、第２の領域Ｒｇ２に対応する角度範囲θ２の煙流入特性と、第１の領域Ｒｇ１に対応する角度範囲θ１の煙流入特性とのばらつきを抑制することができる。その結果、煙感知器１００は、筐体１０の周方向における、煙の検出精度のばらつきを抑制することができる。
【００２７】
実施の形態に係る煙感知器１００のラビリンス壁Ｌｂは第１の領域Ｒｇ１と第２の領域Ｒｇ２側とで非対称形状をしている。つまり、実施の形態に係る煙感知器１００のラビリンス壁Ｌｂは、第１の通路ｐｔ１が形成されている第１の壁体Ｌｂ１と、第１の通路ｐｔ１よりも幅が広い第２の通路ｐｔ２が形成されている第２の壁体Ｌｂ２とを備えている。このため、筐体１０内に流入した煙は第１の壁体Ｌｂ１を通りにくいが、筐体１０内に流入した煙は第２の壁体Ｌｂ２を通りやすい。したがって、煙感知器１００は、第２の領域Ｒｇ２に対応する角度範囲θ２の煙流入特性と、第１の領域Ｒｇ１に対応する角度範囲θ１の煙流入特性とのばらつきを抑制することができる。その結果、煙感知器１００は、筐体１０の周方向における、煙の検出精度のばらつきを抑制することができる。
【００２８】
実施の形態に係る煙感知器１００の区画部材３は傾斜面３Ａを備えている。このため、第２の開口部２を通過した煙が滑らかに検煙部５に流入する。また、区画部材３が傾斜面３Ａを備えている場合には、区画部材３の全体が平面である場合と比較すると、電池７等が設けられる第２の空間ＳＰ２を拡大することができる。
【００２９】
実施の形態において、第１の開口部１は複数の開口部を備え、また、第２の開口部２も複数の開口部を備えた態様を説明したが、当該態様に限定されない。例えば、第１の開口部１は単数の開口部で構成されていてもよいし、第２の開口部２も単数の開口部で構成されていてもよい。
【００３０】
実施の形態において、第１の領域Ｒｇ１と第２の領域Ｒｇ２とは、筐体１０を２等分する垂直面Ｌ１（図１参照）とによって分割された態様を説明したが、当該態様に限定されない。第１の領域Ｒｇ１と第２の領域Ｒｇ２とを分割する垂直面Ｌ１は、検煙部５に近づく側にずれていてもよいし、検煙部５より遠ざかる側にずれていてもよい。つまり、垂直面Ｌ１内の直線Ｌ１０は、図４に示す位置から、検煙部５に近づく側にずれていてもよいし、検煙部５より遠ざかる側にずれていてもよい。
【００３１】
図６は、（ａ）が本実施の形態に係る煙感知器１００の変形例１の説明図であり、（ｂ）が本発明の実施の形態に係る煙感知器１００の変形例２の説明図である。図６（ａ）に示すように、変形例１において貫通孔Ｏｐは、光学台３Ｃのうち第２の領域Ｒｇ２側の部分に形成されている。また、検煙部２５の中心Ｏ２と貫通孔Ｏｐの位置は一致しない。また、光学台カバー４０は、カバー部材に対応する構成であり、第１の領域Ｒｇ１側に突出している。具体的には、光学台カバー４０の側面部のうち第１の領域Ｒｇ１側の部分が楕円の弧状に構成されており、光学台カバー４０の側面部のうち第２の領域Ｒｇ２側の部分が円の弧状に構成されている。例えば、検煙部２５の中心Ｏ２は、光学台カバー４０の当該楕円の中心及び当該円の中心のうちの少なくとも一方に一致する。
【００３２】
変形例１に係る煙感知器１００の光学台カバー４０は、第１の領域Ｒｇ１側に突出しているため、その分、第１の壁体Ｌｂ１の第１の通路ｐｔ１の長さが長くなる。つまり、変形例１におけるラビリンス壁Ｌｂ２０は第２の通路ｐｔ２の長さよりも第１の通路ｐｔ１の長さの方が長くなるように構成されている。したがって、第１の領域Ｒｇ１側から筐体１０内に流入した煙は第１の壁体Ｌｂ１を通って貫通孔Ｏｐに流れ込みにくくなるが、第２の領域Ｒｇ２側から筐体１０内に流入した煙は第２の壁体Ｌｂ２を通って貫通孔Ｏｐに流れ込みやすくなる。このため、変形例１に係る煙感知器１００は、第２の領域Ｒｇ２に対応する角度範囲θ２の煙流入特性と、第１の領域Ｒｇ１に対応する角度範囲θ１の煙流入特性とのばらつきを抑制することができる。その結果、変形例１に係る煙感知器１００は、筐体１０の周方向における、煙の検出精度のばらつきを抑制することができる。
【００３３】
実施の形態１において区画部材３によって発光部５Ａ等とラビリンス壁Ｌｂとが上下に区画されており、検煙部５は２段構成である。つまり、区画部材３の上側には発光部５Ａ、受光部５Ｂ及び基板６が設けられ、区画部材３の下側にはラビリンス壁Ｌｂが設けられている。変形例２において発光部（図示省略）、受光部（図示省略）及び基板３６が区画部材３の下側に設けられており、検煙部３５が１段構成となっている。変形例２において発光部及び受光部はラビリンス壁Ｌｂ３０に設けられている。つまり、変形例２において発光部及び受光部は光学台３０Ｃと光学台カバー３４との間に形成される煙流入空間３５Ｄに設けられている。また、区画部材３の下に基板３６が設けられ、基板３６の下に光学台３０Ｃが設けられている。変形例２において、光学台３０Ｃと区画部材３とは別体である。なお、変形例２における検煙部３５は１段構成なので、変形例２に係る煙感知器１００は、実施の形態１で説明した貫通孔Ｏｐ、検煙カバー５ａ及び隔壁５Ｃを備えていない。例えば、光学台３０Ｃ及び光学台カバー３４が検煙カバー５ａの機能を有し、ラビリンス壁Ｌｂ３０が隔壁５Ｃの機能を有している。変形例２に係る煙感知器１００も、実施の形態１に係る煙感知器１００と同様の効果を得ることができる。
【符号の説明】
【００３４】
１  第１の開口部、１Ａ  開口部、１Ｂ  開口部、２  第２の開口部、２Ａ  開口部、２Ｂ  開口部、２Ｃ  開口部、３  区画部材、３Ａ  傾斜面、３Ｂ  電池収容部、３Ｃ  光学台、４  光学台カバー、５  検煙部、５Ａ  発光部、５Ｂ  受光部、５Ｃ  隔壁、５Ｄ  煙流入空間、５ａ  検煙カバー、６  基板、７  電池、１０  筐体、１１  第１のカバー、１１Ａ  下面部、１１Ａ１  スピーカ穴、１１Ｂ  側面部、１１Ｃ  角部、１２  第２のカバー、２５  検煙部、Ｌｂ２０  ラビリンス壁、３０Ｃ  光学台、Ｌｂ３０  ラビリンス壁、３４  光学台カバー、３５  検煙部、３５Ｄ  煙流入空間、３６  基板、４０  光学台カバー、１００  煙感知器、２００  天井、Ｄ３  距離、Ｄｓ１  距離、Ｄｓ２  距離、Ｄｓ３  距離、Ｌ１  垂直面、Ｌ１０  直線、Ｌｂ  ラビリンス壁、Ｌｂ１  第１の壁体、Ｌｂ２  第２の壁体、Ｏ１  中心、Ｏ２  中心、Ｏｐ  貫通孔、Ｒｇ１  第１の領域、Ｒｇ２  第２の領域、ＳＰ１  第１の空間、ＳＰ２  第２の空間、ｐｔ１  第１の通路、ｐｔ２  第２の通路、θ１  角度範囲、θ２  角度範囲。
【図１】
2019008521.tif 000003
【図２】
2019008521.tif 000004
【図３】
2019008521.tif 000005
【図４】
2019008521.tif 000006
【図５】
2019008521.tif 000007
【図６】
2019008521.tif 000008